(57)【要約】【課題】本発明は、タンク部内に突設するボスをなくし、吸引した粉塵等がボスの角部付近に堆積したり、タンク内にセットしたポリ袋がボスに引っかかり破損してしまうことを防ぐことで、操作性及び作業性に優れた集塵機を提供することである。【解決手段】タンク部５の下部に複数の移動用キャスタ８を保持して成るベース１１を設ける。【選択図】　　　図１
2004074097.tif 000002
【特許請求の範囲】
【請求項１】
駆動源であるモータと、該モータによって回転される集塵ファンと、該ファンを収容するヘッド部と、該ヘッド部に設け且つ前記モータを制御するためのスイッチと、該スイッチを有する前記ヘッド部の下方に位置し且つ前記集塵ファンにより搬送される粉塵を収納するためのタンク部と、該タンク部の下部に設けられる複数の移動用キャスタとを備えた集塵機において、前記タンク部の下部に前記移動用キャスタを保持して成るベースを設けることを特徴とする集塵機。
【請求項２】
前記ベースは、前記タンク部の底面から前記タンク部の外周側面に沿って伸び前記タンク部の外周を覆う形状であり、前記タンク部の外周側面を形成する前記ベースの底部に前記移動用キャスタを保持するためのボスを設けることを特徴とする請求項１記載の集塵機。
【請求項３】
前記ベースは、前記タンク部に嵌合して設けることを特徴とする請求項１又は請求項２何れか記載の集塵機。
【請求項４】
前記ベースは、前記タンク部にネジ止めされることを特徴とする請求項１又は請求項２何れか記載の集塵機。
【発明の詳細な説明】
【０００１】
【発明の属する技術分野】
本発明は、吸引した粉塵等を溜めるためのタンク部と、モータ等を収納するヘッド部とが着脱可能な可搬形の集塵機に関するものであり、特に上記集塵機のタンク部に設けられ且つ複数の移動用キャスタを保持するベース構造に関するものである。
【０００２】
【従来の技術】
従来の集塵機を図５〜図７を用いて説明する。図５は従来の集塵機を示す正面図、図６は図５に示す集塵機の一部縦断左側面図、図７は図６に示す集塵機の平面図である。図５〜図７に示すように一般的な可搬形の集塵機は、図示しないダクトホース内を通り搬送されてくる粉塵や液体等を収納するためのタンク部５を有していると共に、このタンク部５に対して駆動源であるモータ１等を有するヘッド部４が着脱可能に設けられており、タンク５内に溜まった粉塵等はタンク部５に対してヘッド部４を離脱した後に廃棄できるよう構成されている。
【０００３】
上記ヘッド部４には、モータ１により回転される集塵ファン２及び当該モータ１の起動・停止を行うスイッチ３等が設けられており、更にヘッド部４はモータと集塵ファン２の形状により上方から見てほぼ円形状になっていると共に、ヘッド部４に対応してタンク部５上方の開口部もほぼ円形状になっている。
【０００４】
また、タンク部５には、ヘッド部４を固定・解除するためのクランプ装置９、粉塵等を搬送するためのダクトホースを着脱可能な接続部７等が設けられている。更に上記タンク部５の底面には複数の移動用キャスタ８が保持されており、タンク部５の内周側に突設したボス１０を形成し外側から移動用キャスタ８を圧入する構成であった。
【０００５】
このような構成において、スイッチ３をオンするとモータ１により集塵ファン２が回転し、タンク部５を介してダクトホース内に吸引力が生じ、この吸引力を利用してダクトホース内を通り粉塵等がタンク部５内に搬送され収納される。そして、タンク部５内の集塵等を廃棄する場合には、クランプ装置９を解除してヘッド部４を上方に持ち上げタンク部５から取り外し、タンク部５を横転させて溜まった粉塵等を廃棄している。廃棄後は立て直したタンク部５にヘッド部４を載置しクランプ装置９で自由な位置に固定している。
【０００６】
しかし、上述したようにタンク部５の内部には、移動用キャスタ８を圧入するための複数のボス１０が突設しており、そのボス１０の角部付近に粉塵等が付着してしまうと廃棄作業を行っても剥離せずにその場に残り堆積してしまっていた。そこで上記粉塵等を廃棄の都度、鋭利なもので剥がし取るという手間を要していた。また、ポリ袋をタンク部５内にセットした場合であっても粉塵等が堆積するとその重みでポリ袋が破けたり、ポリ袋を取り出す時に突設したボス１０にポリ袋を引っかかり破けたりしてしまっていた。また、ダクトホースの吸い口を閉じた場合、タンク部内が負圧になり弾性変形する恐れがあるため、タンク部５の形状はほぼ円形状、Ｒ形状にせざるを得なかった。
【０００７】
【発明が解決しようとする課題】
上述したように従来の集塵機は、一重構造のタンク部を形成しており、更に上記タンク部の底部には移動用キャスタを圧入して固定するためボスがタンク内部に突設している。このため、上記ボスの角部付近に粉塵等が付着してしまうと廃棄作業を行っても剥離せずにその場に残り堆積してしまうことから、作業者は廃棄作業時に上記粉塵を剥がし取るという手間を要するという問題があった。また、ポリ袋をタンク部内にセットした場合であっても粉塵等が堆積するとその重みでポリ袋が破けたり、ポリ袋を取り出す時に突設したボスにポリ袋を引っかかり破けてしまうという問題があった。また、ダクトホースの吸い口を閉じた場合、タンク部内が負圧になり弾性変形してしまう恐れがあることから、タンク部の形状はほぼ円形状、Ｒ形状にせざるを得ないという問題があった。
【０００８】
本発明の目的は、上記問題を解消し、タンク部内に突設するボスをなくし、吸引した粉塵等がボスの角部付近に堆積したり、タンク内にセットしたポリ袋がボスに引っかかり破損してしまうことを防ぐことで、操作性及び作業性に優れた集塵機を提供することである。また、タンク部形状の自由度を増しデザイン性の向上を図ることである。
【０００９】
【課題を解決するための手段】
上記目的は、駆動源であるモータと、モータによって回転される集塵ファンと、ファンを収容するヘッド部と、ヘッド部に設け且つモータを制御するためのスイッチと、スイッチを有するヘッド部の下方に位置し且つ集塵ファンにより搬送される粉塵を収納するためのタンク部と、タンク部の下部に設けられる複数の移動用キャスタとを備えた集塵機において、タンク部の下部に移動用キャスタを保持して成るベースを設けることにより達成される。
【００１０】
【発明の実施の形態】
本実施例における集塵機を図１〜図４を用いて説明する。図１は本実施例における集塵機の一例を示す一部縦断面図、図２は図１に示す集塵機の左側面図、図３は図１に示す集塵機の一部縦断右側面図、図４は図３に示す集塵機の平面図である。
【００１１】
図１〜図４において、集塵機は、駆動源であるモータ１と、このモータ１に直結された集塵ファン２及び上記モータの起動・停止を行うスイッチ３を有するヘッド部４と有しており、このヘッド部４はモータ１と集塵ファン２の形状により上方から見てほぼ円形状をしている。円形状をしたヘッド部４の下部には集塵した液体或いは粉塵等を溜めるためのタンク部５が配置されており、このタンク部５には粉塵等を搬送するためのダクトホース６を着脱する接続部７が適所に設けられている。また、タンク部５にはヘッド部４を固定・解除するため複数のクランプ装置９が設けられていると共に、クランプ装置９の両側にはヘッド部４の側面方向に伸び且つ上記クランプ装置９を保護するための突起部（保護壁）が形成されている。この突起部とクランプ装置９の位置を合わせることで、ダクトホース６の接続部７とスイッチ３面とが合うように構成されている。なお、上記突起部は上記クランプ装置の幅より大きい突出量を有している。また、タンク部５の底部（底面）には、後輪用の移動用キャスタ８を保持する複数のボスが設けられており且つタンク部５の外周側面を覆うように形成されたベース１１が嵌合して設けられている。このボスは、タンク部５の底部外に位置しておりタンク部５の底部に突出して設けられるものではない。また、上述した嵌合以外の手段としてタンク部５とベース１１を複数のネジにより固着しても良い。なお、本実施例では前輪用の移動用キャスタ８（１個）のみタンク部５の底部に固定してある。
【００１２】
上記構成において、スイッチ３をオンするとモータ１が起動し、集塵ファン２が回転するためタンク部５を介してダクトホース６内に吸引力が発生する。粉塵等はこの吸引力によりダクトホース６を介してタンク部５内に搬送される。タンク部５内の集塵等を廃棄する場合には、クランプ装置９を解除してヘッド部４を上方に持ち上げタンク部５から取り外し、タンク部５ごと横に倒して溜まった粉塵等を廃棄することができる。
【００１３】
また、上記集塵機は、上述したようにタンク部５及びベース１１に設けられた移動用キャスタ８により移動可能に構成されており、しかもタンク部５の内面に突設するボスをなくして、吸引した粉塵等がボスの角部付近に堆積したり、タンク部５内にセットしたポリ袋がボスに引っかかり破損してしまうことを防ぐことで、操作性及び作業性に優れた集塵機を提供することができる。また、タンク部５の外周側面を覆うようにベース１１を設けることで、タンク部５の強度を保てるため、タンク部５の形状に自由度を持たせることができる。また、タンク部５の下部に位置するベース１１の色を変えることでデザイン性の向上が図れると共に、上記ベース１１で隠れる部分のタンク部５は外観デザインを気にせずにすむため、その代わりに強度アップ用のリブを追加しても良い。
【００１４】
【発明の効果】
本発明によれば、タンク部内に突設するボスをなくし、吸引した粉塵等がボスの角部付近に堆積したり、タンク内にセットしたポリ袋がボスに引っかかり破損してしまうことを防ぐことで、操作性及び作業性に優れた集塵機を提供することができる。また、タンク部外周の側面を覆うようにベースを形成したため、負圧による弾性変形等を気にすることなくタンク部形状の自由度を増しデザイン性の向上を図ることができる。
【図面の簡単な説明】
【図１】本発明になる集塵機の一例を示す一部縦断面図である。
【図２】図１に示す集塵機の左側面図である。
【図３】図１に示す集塵機の一部縦断右側面図である。
【図４】図３に示す集塵機の平面図である。
【図５】従来の集塵機を示す正面図である。
【図６】図５に示す集塵機の一部縦断左側面図である。
【図７】図６に示す集塵機の平面図である。
【符号の説明】
１はモータ、２は集塵ファン、３はスイッチ、４はヘッド部、５はタンク部、６はダクトホース、７は接続部、８は移動用キャスタ、９はクランプ、１１はベースである。
【図１】
2004074097.tif 000003
【図２】
2004074097.tif 000004
【図３】
2004074097.tif 000005
【図４】
2004074097.tif 000006
【図５】
2004074097.tif 000007
【図６】
2004074097.tif 000008
【図７】
2004074097.tif 000009